(57)【要約】  【課題】  適切な耕耘作業ができる部分深耕機を提供する。  【解決手段】部分深耕機１は、トラクタの走行により移動しながら圃場の深い位置の土まで耕耘するものである。部分深耕機１は、土を切削して持ち上げて反転放てきする土作業部である土作業体41を備える。部分深耕機１は、土作業体41より上方に位置し、切削土を切断する土切断部56を備える。土切断部56には切削土を側方に誘導する土誘導面部57を連設する。  【選択図】図１
2005087021.tif 000002
【特許請求の範囲】
【請求項１】
走行車の走行により移動しながら、圃場の深い位置の土まで耕耘する部分深耕機であって、
土を切削して持ち上げて放てきする土作業部と、
この土作業部にて持ち上げられてくる切削土に対向するように位置し、切削土を切断する土切断部と
を備えることを特徴とする部分深耕機。
【請求項２】
走行車の走行により移動しながら、圃場の深い位置の土まで耕耘する部分深耕機であって、
土を切削して持ち上げて放てきする土作業部と、
この土作業部にて持ち上げられてくる切削土に対向するように位置し、切削土を側方に誘導する土誘導面部と
を備えることを特徴とする部分深耕機。
【請求項３】
走行車の走行により移動しながら、圃場の深い位置の土まで耕耘する部分深耕機であって、
土を切削して持ち上げて放てきする土作業部と、
この土作業部にて持ち上げられてくる切削土に対向するように位置し、切削土を切断する土切断部と、
この土切断部に連設され、切削土を側方に誘導する土誘導面部と
を備えることを特徴とする部分深耕機。
【請求項４】
走行車の走行により移動しながら、圃場の深い位置の土まで耕耘する部分深耕機であって、
土を切削して持ち上げて放てきする土作業部と、
この土作業部にて持ち上げられてくる切削土に対向するように位置し、切削土を側方に誘導する土誘導面部と、
この土誘導面部に連設され、切削土を反転放てきする土反転面部と
を備えることを特徴とする部分深耕機。
【請求項５】
走行車の走行により移動しながら、圃場の深い位置の土まで耕耘する部分深耕機であって、
土を切削して持ち上げて放てきする土作業部と、
この土作業部にて持ち上げられてくる切削土に対向するように位置し、切削土を側方に誘導する土誘導面部と、
この土誘導面部側からの切削土を切断する土切断部と
を備えることを特徴とする部分深耕機。
【請求項６】
少なくとも土誘導面部にて切削土が左側方に誘導される状態および土誘導面部にて切削土が右側方に誘導される状態に選択的に切換可能となっている
ことを特徴とする請求項２ないし５のいずれか一記載の部分深耕機。
【発明の詳細な説明】
【技術分野】
【０００１】
本発明は、適切な耕耘作業ができる部分深耕機に関するものである。
【背景技術】
【０００２】
従来、走行車の走行により移動しながら圃場の深い位置の土まで耕耘する部分深耕機（チゼルプラウ）としては、例えば上端側が側方に向ってねじられた縦長状のねじり板にて構成された土作業体を備え、この土作業体で土を切削して持ち上げて側方へ反転放てきするようにしたものが知られている（例えば、特許文献１参照）。
【特許文献１】特開平９−３２２６０１号公報
【発明の開示】
【発明が解決しようとする課題】
【０００３】
しかしながら、上記従来の部分深耕機では、土作業体を土壌深く差し込んで耕耘作業を行うため、土作業体のうち圃場面上に位置する部分の前方空間に切削土（土作業体にて圃場面上方まで持ち上げられた土）が詰まりやすく、適切な耕耘作業ができないおそれがある。
【０００４】
本発明は、このような点に鑑みなされたもので、適切な耕耘作業ができる部分深耕機を提供することを目的とする。
【課題を解決するための手段】
【０００５】
請求項１記載の部分深耕機は、走行車の走行により移動しながら、圃場の深い位置の土まで耕耘する部分深耕機であって、土を切削して持ち上げて放てきする土作業部と、この土作業部にて持ち上げられてくる切削土に対向するように位置し、切削土を切断する土切断部とを備えるものである。
【０００６】
そして、切削土が土切断部にて切断されるため、切削土の詰まりが生じにくく、適切な耕耘作業をすることが可能となる。
【０００７】
請求項２記載の部分深耕機は、走行車の走行により移動しながら、圃場の深い位置の土まで耕耘する部分深耕機であって、土を切削して持ち上げて放てきする土作業部と、この土作業部にて持ち上げられてくる切削土に対向するように位置し、切削土を側方に誘導する土誘導面部とを備えるものである。
【０００８】
そして、切削土が土誘導面部にて側方に誘導されるため、切削土の詰まりが生じにくく、適切な耕耘作業をすることが可能となる。
【０００９】
請求項３記載の部分深耕機は、走行車の走行により移動しながら、圃場の深い位置の土まで耕耘する部分深耕機であって、土を切削して持ち上げて放てきする土作業部と、この土作業部にて持ち上げられてくる切削土に対向するように位置し、切削土を切断する土切断部と、この土切断部に連設され、切削土を側方に誘導する土誘導面部とを備えるものである。
【００１０】
そして、切削土が土切断部にて切断されるとともに土誘導面部にて側方に誘導されるため、切削土の詰まりが生じにくく、適切な耕耘作業をすることが可能となる。
【００１１】
請求項４記載の部分深耕機は、走行車の走行により移動しながら、圃場の深い位置の土まで耕耘する部分深耕機であって、土を切削して持ち上げて放てきする土作業部と、この土作業部にて持ち上げられてくる切削土に対向するように位置し、切削土を側方に誘導する土誘導面部と、この土誘導面部に連設され、切削土を反転放てきする土反転面部とを備えるものである。
【００１２】
そして、切削土が土誘導面部にて側方に誘導されるとともに土反転面部にて反転放てきされるため、切削土の詰まりが生じにくく、適切な耕耘作業をすることが可能となり、しかも反転効果が向上する。
【００１３】
請求項５記載の部分深耕機は、走行車の走行により移動しながら、圃場の深い位置の土まで耕耘する部分深耕機であって、土を切削して持ち上げて放てきする土作業部と、この土作業部にて持ち上げられてくる切削土に対向するように位置し、切削土を側方に誘導する土誘導面部と、この土誘導面部側からの切削土を切断する土切断部とを備えるものである。
【００１４】
そして、切削土が土誘導面部にて側方に誘導され、土誘導面部側からの切削土が土切断部にて切断されるため、切削土の詰まりが生じにくく、適切な耕耘作業をすることが可能となり、しかも砕土効果が向上する。
【００１５】
請求項６記載の部分深耕機は、請求項２ないし５のいずれか一記載の部分深耕機において、少なくとも土誘導面部にて切削土が左側方に誘導される状態および土誘導面部にて切削土が右側方に誘導される状態に選択的に切換可能となっているものである。
【００１６】
そして、作業状況等に応じて切削土が誘導される方向を切り換えることができ、より一層適切な耕耘作業をすることが可能となる。
【発明の効果】
【００１７】
請求項１記載の部分深耕機によれば、切削土が土切断部にて切断されるため、切削土の詰まりが生じにくく、適切な耕耘作業ができる。
【００１８】
請求項２記載の部分深耕機によれば、切削土が土誘導面部にて側方に誘導されるため、切削土の詰まりが生じにくく、適切な耕耘作業ができる。
【００１９】
請求項３記載の部分深耕機によれば、切削土が土切断部にて切断されるとともに土誘導面部にて側方に誘導されるため、切削土の詰まりが生じにくく、適切な耕耘作業ができる。
【００２０】
請求項４記載の部分深耕機によれば、切削土が土誘導面部にて側方に誘導されるとともに土反転面部にて反転放てきされるため、切削土の詰まりが生じにくく、適切な耕耘作業ができ、しかも反転効果の向上を図ることができる。
【００２１】
請求項５記載の部分深耕機によれば、切削土が土誘導面部にて側方に誘導され、土誘導面部側からの切削土が土切断部にて切断されるため、切削土の詰まりが生じにくく、適切な耕耘作業ができ、しかも砕土効果の向上を図ることができる。
【００２２】
請求項６記載の部分深耕機によれば、作業状況等に応じて切削土が誘導される方向を切り換えることができ、より一層適切な耕耘作業ができる。
【発明を実施するための最良の形態】
【００２３】
本発明の部分深耕機の第１の実施の形態を図１ないし図３を参照して説明する。
【００２４】
図１および図２において、１は部分深耕機（チゼルプラウ）で、この部分深耕機１は、走行車であるトラクタ（図示せず）の後部に装着して使用する牽引式のものである。
【００２５】
そして、部分深耕機１は、トラクタの走行（牽引動作）により圃場を進行方向である前方に移動しながら、圃場の深い位置の土（例えば心土層の土である心土）まで耕耘する耕耘作業機である。
【００２６】
なお、部分深耕機１は、基本的には圃場の心土層および耕盤層を幅狭状に切削するとともにこの切削された土を圃場面（図示Ｇ）上方まで持ち上げてその圃場面上に反転放てきすることにより下層土と上層土とを混和させるもので、プラウの天地返しとサブソイラの心土破砕との両方の機能を発揮しうるものである。
【００２７】
部分深耕機１は、作業部振動式のもので、図示しないトラクタの後部の３点リンク部（作業機昇降支持装置）に連結された機枠２を備えている。
【００２８】
機枠２は、固定枠部３を有し、この固定枠部３には走行車連結部であるトラクタ連結部４が設けられている。トラクタ連結部４には、トラクタの３点リンク部が連結されている。なお、機枠２のトラクタ連結部４は、トップピン５を有するトップマスト６と、ロワピン７を有する左右一対のロワアーム８とにて構成されている。
【００２９】
また、固定枠部３には、トラクタ側からの動力を入力する前後方向の入力軸10が回転可能に設けられている。入力軸10には、トラクタのＰＴＯ軸がユニバーサルジョイントおよび伝動シャフト等を介して接続されている。
【００３０】
さらに、固定枠部３には、コルター11およびゲージ輪12がそれぞれ回転可能に設けられている。なお、ゲージ輪12は、高さ調節手段13のハンドル部14の操作により高さ調節可能となっている。
【００３１】
また、固定枠部３には、前後方向に長手状の振動フレーム部16が左右方向の軸17を介して上下回動可能に設けられている。そして、振動フレーム部16は、耕耘作業時には、入力軸10からの動力を伝動手段18を介して受けて軸17を中心に上下回動することにより振動する。
【００３２】
そして、機枠２の振動フレーム部16の後端部には、側面視で下方に向って略凹状をなす略板状の連結体（連結枠）21の前部が着脱可能に取り付けられている。連結体21は、中間部に前後方向にやや長手状で垂直面に沿った略矩形板状の長手状部23を有している。
【００３３】
なお、連結体21は機枠２の振動フレーム部16に対して着脱可能となっており、その機枠２の振動フレーム部16には連結体21に代えてサブソイラ用土破砕刃体25を着脱可能に取り付けることが可能となっている。
【００３４】
また、連結体21の後部には、上下方向に長手状で略下半部が湾曲した略板状の支持体（ビーム）31の上端部が着脱可能に取り付けられ、この支持体31は連結体21の後部から下方に向って突出しており、耕耘作業時には支持体31の略下半部が土中を移動する。
【００３５】
支持体31の下端部には、圃場の土を切削して持ち上げる金属製の先端切削板であるチゼル（先金）32が取り付けられているとともに、破砕効果を上げるためのウイング33が取り付けられている。
【００３６】
また、支持体31の下部には、チゼル32からの土を受け入れて圃場面近傍まで持ち上げるとともに自らも圃場の土を切削して圃場面近傍まで持ち上げる略矩形板状の合成樹脂製の第１土作業体である切削板36が支持部材37を介して取り付けられている。切削板36は、支持体31に対応して湾曲した上下方向に長手状のもので、支持体31の前縁に略沿って配設されている。
【００３７】
さらに、支持体31の上部には、切削板36からの土を受け入れて圃場面上方まで持ち上げて左右いずれか一側方に反転放てきする略団扇状の合成樹脂製の第２土作業体である反転板38が支持部材39を介して取り付けられている。反転板38は、その前面が進行方向に対して一側方に傾斜した状態で支持体31の前縁に略沿って配設されている。なお図示しないが、反転板38は、側方に傾斜せず、進行方向を向いた状態に配設したものでもよい。
【００３８】
ここで、これら上下２分割され異なる方向を向いた２枚の板、すなわち例えば互いに上下に隣接した切削板36および反転板38にて、振動フレーム部16とともに振動しながら、チゼル32からの土を受け入れて持ち上げて側方に反転放てきするとともに圃場の土を切削して持ち上げて側方に反転放てきする縦長板状の合成樹脂製の土作業部である土作業体（土作業板）41が構成されており、この土作業体41は支持部材37，39を介して支持体31にこの支持体31の前縁に沿うようにして取り付けられている。
【００３９】
そして、耕耘作業時には、土作業体41のうち圃場面上に位置する部分（例えば反転板38の略全体）は、土作業体41の作業深さＳの半分以上の地上高さ寸法Ａを有する空間部である土逃し用空間部42に臨んで位置する。すなわち例えば、部分深耕機１による耕耘作業時には、土作業体41のうち圃場面上に位置する部分は、側面視で所定の縦横寸法Ａ，Ｂを有する土逃し用空間部42に臨んで位置する。
【００４０】
土逃し用空間部42の所定の縦寸法（地上高さ寸法である上下方向の寸法）Ａは、後述の補助土作業体51の水平部53の下端と圃場面との距離であり、その縦寸法Ａは土作業体41の作業深さＳの半分以上の値である。また、土逃し用空間部42の所定の横寸法（前後方向の寸法）Ｂは、機枠２の振動フレーム部16の後端と支持体31のうち土作業体41より上方の部分の前端との距離であり、その横寸法Ｂは土作業体41の作業深さＳの半分以上の値である。
【００４１】
なお、所定の縦横寸法Ａ，Ｂは、いずれも作業深さＳの半分以上の値であることが条件であるが、作業深さＳと同一の寸法が最も好ましい。所定の縦横寸法Ａ，Ｂが作業深さＳの半分未満になると切削土の詰まり（練り支え）が生じやすくなる。
【００４２】
また、部分深耕機１は、土作業体41にて持ち上げられてくる切削土に対向するように位置しかつ少なくとも一部が土作業体41より上方に位置し所定の縦横寸法Ａ，Ｂを有する土逃し用空間部42に臨んだ土詰まり防止用の補助土作業部である補助土作業体（土作業体41とは別体のもの）51を備えている。
【００４３】
補助土作業体51は、図３に示すように、支持部材52を介して連結体21の長手状部23の下端部に着脱可能に取り付けられ、この補助土作業体51は土逃し用空間部42に臨んで位置する。また、補助土作業体51は、例えば前後方向に長手状の水平部53とこの水平部53の後端から後下方に突出した傾斜部54とを有する側面視略ヘ字状の長手状部材55にて構成されている。
【００４４】
そして、補助土作業体51の下端縁には、土作業体41にて持ち上げられてくる切削土に対向するように位置するとともに土作業体41より上方に位置し切削土（土作業体41にて圃場面上方まで持ち上げられた土）を切断する先細状の土切断部56が形成されている。また、土切断部56には、土作業体41にて持ち上げられてくる切削土に対向するように位置するとともに土作業体41より上方に位置し切削土を側方に誘導する左右一対の傾斜面状の土誘導面部57，57が連設されている。なお、進行方向左側の土誘導面部57が切削土を左側方（進行方向に対して左方向）に誘導し、進行方向右側の土誘導面部57が切削土を右側方（進行方向に対して右方向）に誘導する。
【００４５】
次に、上記一実施の形態の作用等を説明する。
【００４６】
部分深耕機１を使用して耕耘作業をする場合、トラクタの３点リンク部に機枠２のトラクタ連結部４を連結することにより、トラクタの後部に部分深耕機１を装着する。
【００４７】
そして、トラクタの３点リンク部を作動させて部分深耕機１を下降させることにより部分深耕機１の一部を圃場の土中に深く差し込み、その後、トラクタの前進走行により部分深耕機１を進行方向である前方に移動させる。
【００４８】
部分深耕機１が前方に移動すると、圃場の土がチゼル32にて切削されて持ち上げられ、またそのチゼル32に連続した土作業体（切削板36および反転板38）41によってチゼル32からの土が圃場面上方まで持ち上げられて反転放てきされるとともに圃場の土が切削されて圃場面上方まで持ち上げられて反転放てきされる。
【００４９】
この際、土作業体41の上端側の反転板38から離れた切削土の大部分は、反転板38が臨んだ比較的広い土逃し用空間部42（つまり所定の縦横寸法Ａ，Ｂの土逃し用空間部42）を介して側方に反転放てきされるが、切削土の一部は、補助土作業体51の土切断部56にて切断され、両土誘導面部57にて左右両側方に誘導される（図３参照）。
【００５０】
このように部分深耕機１によれば、耕耘作業時に土作業体41のうち圃場面上に位置する部分が作業深さＳの半分以上の所定の縦横寸法Ａ，Ｂを有する土逃し用空間部42に臨んで位置するとともに、連結体21には補助土作業体51が取り付けられているため、切削土の詰まり（練り支え）が生じにくく、適切な耕耘作業ができ、しかも、連結体21への土付着量の軽減、トラクタの牽引抵抗の軽減等を適切に図ることができる。
【００５１】
また、心土層および耕盤層の破砕（切削）のみを行う場合、従来の部分深耕機ではサブソイラ（専用機）を用意しなければならなかったが、部分深耕機１では、図１の２点鎖線で示すように連結体21に代えてサブソイラ用土破砕刃体25を機枠２の振動フレーム部16に取り付けることができるため、部分深耕機１とは別にサブソイラを用意する必要がなく、農家への経済的負担も軽減できる。
【００５２】
次に、本発明の部分深耕機の第２の実施の形態について図４を参照して説明する。
【００５３】
図４に示す部分深耕機１の補助土作業体51は、図１に示す補助土作業体51に比べて土誘導面部57の面積を大きくしたもので、断面略Ｖ字状の長手状部材55とこの長手状部材55に貼着された樹脂板60とにて構成されている。そして、図４に示す補助土作業体51の土切断部56および土誘導面部57は、それぞれ土付着が少なくなるよう樹脂板60にて構成された合成樹脂製の表面部56a，57aを有している。なお、図４に示す部分深耕機１のその他の構成部材は、図１に示す構成部材と基本的に同一である。
【００５４】
そして、図４に示す部分深耕機１でも、練り支えが生じにくく、適切な耕耘作業ができ、しかも、連結体21への土付着量の軽減、トラクタの牽引抵抗の軽減等を適切に図ることができる等、図１に示すものと同様の作用効果を奏しうる。
【００５５】
次に、本発明の部分深耕機の第３の実施の形態について図５を参照して説明する。
【００５６】
図５に示す部分深耕機１の補助土作業体51は、図４に示す補助土作業体51の土切断部56の先端形状を湾曲状にしたものであるが、この図５に示す部分深耕機１でも図４に示す部分深耕機１と同様の作用効果を奏し得る。
【００５７】
次に、本発明の部分深耕機の第４の実施の形態について図６を参照して説明する。
【００５８】
図６に示す部分深耕機１の補助土作業体51は、板状の長手状部材55とこの長手状部材55に貼着された樹脂板60とにて構成されたもので、土作業体41にて持ち上げられてくる切削土に対向するように位置するとともに土作業体41より上方に位置し切削土を左右いずれか一側方、例えば左側方（片側側方）に誘導する傾斜面状の土誘導面部57のみを有している。また、図６に示す補助土作業体51の土誘導面部57は、土付着が少なくなるよう樹脂板60にて構成された合成樹脂製の表面部57aを有している。なお、図６に示す部分深耕機１のその他の構成部材は、図１に示す構成部材と基本的に同一である。
【００５９】
そして、図４に示す部分深耕機１であっても、練り支えが生じにくく、適切な耕耘作業ができ、しかも、連結体21への土付着量の軽減、トラクタの牽引抵抗の軽減等を適切に図ることができる。
【００６０】
次に、本発明の部分深耕機の第５の実施の形態について図７を参照して説明する。
【００６１】
図７に示す部分深耕機１の補助土作業体51は、断面略Ｖ字状の長手状部材55にて構成されたもので、土作業体41にて持ち上げられてくる切削土に対向するように位置するとともに土作業体41より上方に位置し切削土を切断する先細状の土切断部56を有し、この土切断部56には土作業体41にて持ち上げられてくる切削土に対向するように位置するとともに土作業体41より上方に位置し切削土を側方に誘導する左右一対の傾斜面状の土誘導面部57，57が連設されている。
【００６２】
なお、進行方向左側の土誘導面部57が切削土を左側方（進行方向に対して左方向）に誘導し、進行方向右側の土誘導面部57が切削土を右側方（進行方向に対して右方向）に誘導する。
【００６３】
また、各土誘導面部57の誘導終端部には、土誘導面部57側からの切削土を圃場面上に反転放てきする略湾曲面状の土反転面部61がそれぞれ連設されている。なお、図７に示す部分深耕機１のその他の構成部材は、図１に示す構成部材と基本的に同一である。
【００６４】
そして、図７に示す部分深耕機１によれば、図１に示すものと同様の作用効果を奏しうるのみならず、土反転面部61にて土誘導面部57側からの切削土を反転放てきでき、反転効果の向上を図ることができる。
【００６５】
次に、本発明の部分深耕機の第６の実施の形態について図８を参照して説明する。
【００６６】
図８に示す部分深耕機１の補助土作業体51は、図７に示す補助土作業体51の土切断部56の先端形状を湾曲状にしたものであるが、この図８に示す部分深耕機１でも図７に示す部分深耕機１と同様の作用効果を奏し得る。
【００６７】
次に、本発明の部分深耕機の第７の実施の形態について図９を参照して説明する。
【００６８】
図９に示す部分深耕機１の補助土作業体51は、板状の長手状部材55にて構成されたもので、土作業体41にて持ち上げられてくる切削土に対向するように位置するとともに土作業体41より上方に位置し切削土を左右いずれか一側方、例えば左側方（片側側方）に誘導する傾斜面状の土誘導面部57を有し、この土誘導面部57の誘導終端部にその土誘導面部57側からの切削土を圃場面上に反転放てきする略湾曲面状の土反転面部61が連設されている。なお、図９に示す部分深耕機１のその他の構成部材は、図１に示す構成部材と基本的に同一である。
【００６９】
そして、図９に示す部分深耕機１であっても、練り支えが生じにくく、適切な耕耘作業ができ、また反転効果の向上等も図ることができる。
【００７０】
次に、本発明の部分深耕機の第８の実施の形態について図１０および図１１を参照して説明する。
【００７１】
図１０および図１１に示す部分深耕機１の補助土作業体51は、断面略Ｖ字状の長手状部材55とこの長手状部材55に取り付けられた複数（例えば５本）の略湾曲状の棒部材63とにて構成されている。
【００７２】
そして、この補助土作業体51は、土作業体41にて持ち上げられてくる切削土に対向するように位置するとともに土作業体41より上方に位置し切削土を切断する先細状の土切断部56を有し、この土切断部56には土作業体41にて持ち上げられてくる切削土に対向するように位置するとともに土作業体41より上方に位置し切削土を側方に誘導する左右一対の傾斜面状の土誘導面部57，57が連設されている。また、各土誘導面部57の誘導終端部からは、棒部材63にて構成され土誘導面部57側からの切削土を切断する複数の湾曲した棒状の突出状土切断部である土切断部64が側方に向って突出している。なお、図１０および図１１に示す部分深耕機１のその他の構成部材は、図１に示す構成部材と基本的に同一である。
【００７３】
そして、図１０および図１１に示す部分深耕機１によれば、図１に示すものと同様の作用効果を奏しうるのみならず、土切断部64にて土誘導面部57側からの切削土を切断でき、砕土効果の向上を図ることができる。
【００７４】
次に、本発明の部分深耕機の第９の実施の形態について図１２を参照して説明する。
【００７５】
図１２に示す部分深耕機１の補助土作業体51は、板状の長手状部材55およびこの長手状部材55に取り付けられた複数の略湾曲状の棒部材63とにて構成されている。
【００７６】
そして、この補助土作業体51は、土作業体41にて持ち上げられてくる切削土に対向するように位置するとともに土作業体41より上方に位置し切削土を左右いずれか一側方、例えば左側方（片側側方）に誘導する傾斜面状の土誘導面部57を有し、この土誘導面部57の誘導終端部からは棒部材63にて構成され土誘導面部57側からの切削土を切断する複数の湾曲した棒状の土切断部64が側方に向って突出している。なお、図１２に示す部分深耕機１のその他の構成部材は、図１に示す構成部材と基本的に同一である。
【００７７】
そして、図１２に示す部分深耕機１であっても、練り支えが生じにくく、適切な耕耘作業ができ、また砕土効果の向上等も図ることができる。
【００７８】
次に、本発明の部分深耕機の第１０の実施の形態について図１３および図１４を参照して説明する。
【００７９】
図１３および図１４に示す部分深耕機１は、図１等に示す部分深耕機１とは異なり、連結体21を備えず、支持体31の上端側に機枠連結部31aが一体に設けられ、この機枠連結部31aの前端部が機枠２の振動フレーム部16の後端部に着脱可能に取り付けられている。
【００８０】
また、支持体31の機枠連結部31aの下端縁側には、土作業体41にて持ち上げられてくる切削土に対向するように位置するとともに土作業体41より上方に位置し切削土を切断する先細状の土切断部56が形成されている。土切断部56には、土作業体41にて持ち上げられてくる切削土に対向するように位置するとともに土作業体41より上方に位置し切削土を側方に誘導する左右一対の傾斜面状の土誘導面部57，57が連設されている。
【００８１】
さらに、支持体31の機枠連結部31aからは、土誘導面部57の誘導終端の近傍位置に位置し土誘導面部57側からの切削土を切断する複数の棒状の土切断部64が左右両側方に向って突出している。そして、土切断部56、土誘導面部57および土切断部64にて土詰まり防止用の補助土作業体51が構成されている。なお、図１３および図１４に示す部分深耕機１のその他の構成部材は、図１に示す構成部材と基本的に同一である。
【００８２】
そして、図１３および図１４に示す部分深耕機１でも、練り支えが生じにくく、適切な耕耘作業ができ、また砕土効果の向上等も図ることができる。
【００８３】
なお、土誘導面部57側からの切削土を切断する突出状（膨出状）の土切断部64は、断面円形の棒状のものには限定されず、例えば図１５（ａ）および（ｂ）に示すような断面多角形、例えば断面６角形の棒状のものでもよく、或いは例えば図１６（ａ）および（ｂ）に示すような先細状の刃部64aが形成された板状のもの等でもよい。
【００８４】
また、支持体31の機枠連結部31aに形成された土切断部56および土誘導面部57の形状は、三角形状には限定されず、例えば図１５（ａ）に示す略半円状のもの等でもよい。なお、図１７に示す部分深耕機１のように、支持体31の機枠連結部31aの下端縁部をジグザグ状にして土切断部56のみを形成するようにしてもよく、また図示しないが図１７に示す支持体31に土切断部56に加えて切削土を切断する突出状の土切断部64を形成したもの等でもよい。
【００８５】
さらに、部分深耕機１は、土切断部56および土誘導面部57が支持体31にそれぞれ形成されたもの等には限定されず、図１８および図１９に示すように土切断部56および左右一対の土誘導面部57が中空状の連結体21にそれぞれ形成されたものでもよく、また、図２０に示すように左右いずれか片側の土誘導面部57が中空状の連結体21に形成されたもの等でもよい。なお、図示しないが、土切断部56および土誘導面部57等が板状の連結体21に形成されたものや、土切断部56および土誘導面部57等が機枠２或いは支持体31等に形成されたもの等でもよい。
【００８６】
また一方、部分深耕機１は、例えば図２１および図２２に示すように、左右一対の傾斜面状の土誘導面部57，57のうちの一方の土誘導面部57にて切削土が左側方に誘導される第１状態と、他方の土誘導面部57にて切削土が右側方に誘導される第２状態と、これら２つの状態間の任意の中間状態とに、選択的に切換可能となっているものでもよい。
【００８７】
この図２１および図２２に示す部分深耕機１は、図４に示す補助土作業体51と基本的構成が同一の補助土作業体51を備え、補助土作業体51は、支持部材52を介して連結体21に着脱可能に取り付けられ、この補助土作業体51は連結体21に対して上下位置調節可能となっている。
【００８８】
また、補助土作業体51は、支持部材52の前後方向の軸部52aを中心として回動調節可能となっており、補助土作業体51は軸部52aを中心とする回動調節により第１状態、第２状態および任意の中間状態にそれぞれ選択的に切り換えられる。
【００８９】
そして、図２１および図２２に示す部分深耕機１によれば、図１に示すものと同様の作用効果を奏しうるのみならず、作業状況等に応じて切削土が誘導される方向を適宜切り換えることができ、より一層適切な耕耘作業ができる。
【００９０】
なお、部分深耕機１は、図示しないが、ピンの抜差し等により、一方の土誘導面部57にて切削土が左側方に誘導される第１状態と、他方の土誘導面部57にて切削土が右側方に誘導される第２状態と、両方の中間の状態であって土切断部56にて切削土が切断されかつ両土誘導面部57にてその切削土が左右両側方に誘導される第３状態とに、選択的に切換可能となっているものでもよい。
【００９１】
また、部分深耕機１は、補助土作業体51を軸部52aを中心とする回動により切換可能なものには限定されず、例えば図２３に示すように、座金等のスペーサ66の配設位置および数を適宜変更することにより補助土作業体51を少なくとも上述した２つの状態（第１状態および第２状態）に選択的に切換可能なものでもよく、また平行リンクを回動させて切り換えるような構成とすることもできる。なお、図２１〜図２３に示す部分深耕機１では、反転板38はその前面が進行方向を向いた状態で支持体31の前縁に略沿って配設されている。
【００９２】
また一方、いずれも実施の形態においても、部分深耕機１は、振動フレーム部16の代わりに固定フレーム部を備えた作業部固定式の構成としてもよい。
【００９３】
また、部分深耕機１は、１つの土作業体41を備える構成には限定されず、左右位置が異なる複数（例えば左右一対、或いは３つ、４つ等）の土作業体41を備えるようなものでもよい。
【００９４】
さらに、土作業体41は、切削板36および反転板38にて構成されたものには限定されず、ねじり板或いはねじられていない板等の１枚状の板にて構成されたもの、或いは３枚以上の分割板にて構成されたもの等でもよく、また金属製のもの等でもよい。
【００９５】
また、支持体31への土作業体41の取付方法は、任意であり、土作業体41を支持体31に直接取り付けるようにしてもよい。
【００９６】
さらに、補助土作業体51は、支持部材52を介して連結体21に取り付けたものには限定されず、連結体21に直接取り付けたもの、機枠２に直接的または間接的に取り付けたもの、支持体31に直接的または間接的に取り付けたもの等でもよい。
【００９７】
また、土切断部56，64、土誘導面部57、土反転面部61の各表面部は、合成樹脂製のものでもよく、金属製のもの等でもよい。
【００９８】
さらに、土詰まり防止用の補助土作業体（補助土作業部）51が臨む土逃し用空間部42は、所定の縦横寸法Ａ，Ｂを有する大きさの空間が望ましいがこれより小さい空間でもよい。
【００９９】
また、土詰まり防止用の補助土作業部は、機枠２、連結体21および支持体31のいずれかに一体に形成したものでもよく、機枠２等とは別部品として機枠２等に取り付けたもの等でもよい。
【０１００】
さらに、反転板38は進行方向を向いたものでもよく、土作業体41は土を切削して持ち上げて上方（補助土作業部側）へ放てきするものでもよい。
【図面の簡単な説明】
【０１０１】
【図１】本発明の部分深耕機の第１の実施の形態を示す側面図である。
【図２】同上部分深耕機の平面図である。
【図３】同上部分深耕機の一部断面図である。
【図４】本発明の部分深耕機の第２の実施の形態を示す一部断面図である。
【図５】本発明の部分深耕機の第３の実施の形態を示す一部断面図である。
【図６】本発明の部分深耕機の第４の実施の形態を示す一部断面図である。
【図７】本発明の部分深耕機の第５の実施の形態を示す一部断面図である。
【図８】本発明の部分深耕機の第６の実施の形態を示す一部断面図である。
【図９】本発明の部分深耕機の第７の実施の形態を示す一部断面図である。
【図１０】本発明の部分深耕機の第８の実施の形態を示す一部断面図である。
【図１１】同上部分深耕機の一部側面図である。
【図１２】本発明の部分深耕機の第９の実施の形態を示す一部断面図である。
【図１３】本発明の部分深耕機の第１０の実施の形態を示す一部断面図である。
【図１４】同上部分深耕機の一部側面図である。
【図１５】同上部分深耕機の変形例を示す図である。
【図１６】同上部分深耕機の他の変形例を示す図である。
【図１７】同上部分深耕機のさらに他の変形例を示す図である。
【図１８】同上部分深耕機のさらに他の変形例を示す図である。
【図１９】同上部分深耕機のさらに他の変形例を示す図である。
【図２０】同上部分深耕機のさらに他の変形例を示す図である。
【図２１】同上部分深耕機のさらに他の変形例を示す一部断面図である。
【図２２】同上部分深耕機の一部側面図である。
【図２３】同上部分深耕機のさらに他の変形例を示す一部断面図である。
【符号の説明】
【０１０２】
１    部分深耕機
41    土作業部である土作業体
56    土切断部
57    土誘導面部
61    土反転面部
64    土切断部
【図１】
2005087021.tif 000003
【図２】
2005087021.tif 000004
【図３】
2005087021.tif 000005
【図４】
2005087021.tif 000006
【図５】
2005087021.tif 000007
【図６】
2005087021.tif 000008
【図７】
2005087021.tif 000009
【図８】
2005087021.tif 000010
【図９】
2005087021.tif 000011
【図１０】
2005087021.tif 000012
【図１１】
2005087021.tif 000013
【図１２】
2005087021.tif 000014
【図１３】
2005087021.tif 000015
【図１４】
2005087021.tif 000016
【図１５】
2005087021.tif 000017
【図１６】
2005087021.tif 000018
【図１７】
2005087021.tif 000019
【図１８】
2005087021.tif 000020
【図１９】
2005087021.tif 000021
【図２０】
2005087021.tif 000022
【図２１】
2005087021.tif 000023
【図２２】
2005087021.tif 000024
【図２３】
2005087021.tif 000025